(57)【要約】【課題】移動端末の情報を使用してハンドオフ時間を短縮する方法及び装置を提供する。【解決手段】ルータの情報及びアクセスポイントの固有情報を含む識別情報を受信するステップと、アクセスポイントが制御するネットワークに結合された移動端末の情報と識別情報とを結合して、移動端末のモバイルＩＰアドレスを生成するステップと、移動端末にモバイルＩＰアドレスを送信するステップとを含む移動端末の情報を使用してハンドオフ時間を短縮する方法である。【選択図】図３
2006203888.tif 000002
【特許請求の範囲】
【請求項１】
ルータの情報及びアクセスポイントの固有情報を含む識別情報を受信するステップと、
前記アクセスポイントが制御するネットワークに結合された移動端末の情報と前記識別情報とを結合して、前記移動端末のモバイルＩＰアドレスを生成するステップと、
前記移動端末に前記モバイルＩＰアドレスを送信するステップとを含む移動端末の情報を使用してハンドオフ時間を短縮する方法。
【請求項２】
前記受信するステップは、前記ルータが持続的に送信する広告メッセージを受信するステップを含む請求項１に記載の方法。
【請求項３】
前記送信するステップは、前記移動端末に前記モバイルＩＰアドレスを含む広告メッセージを送信するステップを含む請求項１に記載の方法。
【請求項４】
前記生成するステップは、前記移動端末の情報と同じ情報を持つ機器が前記アクセスポイントに結合されたかどうかを検討するステップを含む請求項１に記載の方法。
【請求項５】
前記ルータの情報は、前記ルータが割り当てるＩＰアドレスのサブネットプレフィックスを含む請求項１に記載の方法。
【請求項６】
前記アクセスポイントの固有情報は、前記ルータを構成する他のアクセスポイントの固有情報と区別可能な請求項１に記載の方法。
【請求項７】
前記移動端末の情報は、前記移動端末のＭＡＣアドレスである請求項１に記載の方法。
【請求項８】
ルータの情報及びアクセスポイントの固有情報を含む識別情報を受信するプレフィックス受信部と、
前記アクセスポイントが制御するネットワークに結合された移動端末の情報と前記識別情報とを結合して、前記移動端末のモバイルＩＰアドレスを生成するアドレス生成部と、
前記移動端末に前記モバイルＩＰアドレスを送信するアドレス伝送部とを備える移動端末の情報を使用してハンドオフ時間を短縮するアクセスポイント。
【請求項９】
前記識別情報は、前記ルータが持続的に送信する広告メッセージに含まれた情報である請求項８に記載のアクセスポイント。
【請求項１０】
前記アドレス伝送部は、前記移動端末に前記モバイルＩＰアドレスを含む広告メッセージを送信する請求項８に記載のアクセスポイント。
【請求項１１】
前記移動端末の情報を保存するアドレス管理部をさらに備え、前記アドレス生成部は、前記移動端末の情報と同じ情報を持つ機器が前記アクセスポイントに結合されたかどうかを検討するために、前記アドレス管理部を検索する請求項８に記載のアクセスポイント。
【請求項１２】
前記移動端末の情報を保存するアドレス管理部をさらに備え、前記アドレス管理部は、前記移動端末の情報を製造企業別に保存する請求項８に記載のアクセスポイント。
【請求項１３】
前記移動端末の情報を保存するアドレス管理部をさらに備え、前記アドレス管理部は、前記移動端末の情報を製品別に保存する請求項８に記載のアクセスポイント。
【請求項１４】
前記ルータの情報は、前記ルータが割り当てるＩＰアドレスのサブネットプレフィックスを含む請求項８に記載のアクセスポイント。
【請求項１５】
前記アクセスポイントの固有情報は、前記ルータを構成する他のアクセスポイントの固有情報と区別可能な請求項８に記載のアクセスポイント。
【請求項１６】
前記移動端末の情報は、前記移動端末のＭＡＣアドレスである請求項８に記載のアクセスポイント。
【発明の詳細な説明】
【技術分野】
【０００１】
本発明は、移動端末の情報を使用してハンドオフ時間を短縮する方法及び装置に関する。
【背景技術】
【０００２】
既存の有線中心のネットワーキングから、無線を中心とする無線ネットワーキングが実生活に導入されつつ、ネットワークデバイスの動的な結合と関連した研究が進んでいる。モバイルＩＰとは、移動性を持つ移動端末（Ｍｏｂｉｌｅ Ｎｏｄｅ）に提供するＩＰアドレスを意味する。
【０００３】
図１は、従来にモバイルＩＰを割り当てる過程を示す例示図である。図１で、移動端末１００は、ホームドメイン５０でホームエージェント２００を通じて相手端末４００と通信を行う途中で外部ネットワーク６０に移動する。移動端末１００は、外部ネットワーク６０のＡＰ（Ａｃｃｅｓｓ Ｐｏｉｎｔ）３０１にＬ２連結を要請する。ＡＰ ３０１は、移動端末１００にＬ２連結要請に対する応答をする。そして、移動端末は、ルータ５００またはＡＰ ３０１から周期的に伝送される 広告メッセージ（Ｒｏｕｔｅｒ Ａｄｖｅｒｔｉｓｅｍｅｎｔ）により移動を感知する。移動端末は、広告メッセージ情報を利用して自体的に委託アドレス（Ｃａｒｅ ｏｆ Ａｄｄｒｅｓｓ）を生成する。このアドレスが唯一であるかどうかを検討するために、ＤＡＤ（Ｄｕｐｌｉｃａｔｅ Ａｄｄｒｅｓｓ Ｄｅｔｅｃｔｉｏｎ）過程を始める。
【０００４】
ＤＡＤ過程は、委託アドレスを該当ドメイン内の他のホストまたは端末に伝送して、同じアドレスを使用する機器の存否を検討することを通じて行われる。所定時間（規格の勧告によれば、１秒）内に他の機器から該当アドレスを使用するというメッセージが受信されれば、再び他の委託アドレスを選択してＤＡＤ過程を再実行する。もし、所定時間内に該当委託アドレスを使用することを知らせる機器が存在していなければ、生成した委託アドレスが唯一であると判断して使用する。移動端末３０１は、自身のホームエージェント２００及び相手端末４００に自身のＩＰが変更されたことを知らせるＢＵ（Ｂｉｎｄｉｎｇ Ｕｐｄａｔｅ）過程を行う。
【０００５】
図２は、従来のモバイルＩＰでハンドオフ遅延時間が占める時間を分析したチャートである。
【０００６】
（ａ）は、移動端末が既存リンクから外れた時から新たなリンクでセットアップを完了するまでかかる時間を分析したチャートである。１．のように移動端末が既存リンクから外れ始めたことを感知する。したがって、２．のように新たなリンクセットアップを始める。ここからハンドオフが始まる。そして、３．のように既存のリンクが消滅された後に４．のように新たなリンクセットアップが終了すれば、ハンドオフが完了する。既存リンクが消滅する瞬間から新たなリンクセットアップの終了時点までは通信が行われないので、この期間を縮めることが重要である。
【０００７】
（ｂ）は、ハンドオフ時間を細分化させて示すチャートである。ハンドオフ時間は、Ｌ２ハンドオフ時間とＬ３ハンドオフ時間とに大別される。Ｌ２ハンドオフ時間は、ＭＡＣ（Ｍｅｄｉｕｍ Ａｃｃｅｓｓ Ｃｏｎｔｒｏｌ Ｌａｙｅｒ）ステップでのハンドオフを行う時間であるため、リンクの変更如何を測定して変更されたならばハンドオフを行う過程で構成される。
【０００８】
Ｌ３ハンドオフ時間は、ネットワーク階層（ Ｎｅｔｗｏｒｋ Ｌａｙｅｒ）でのハンドオフを意味する。移動を感知する時間とアドレス衝突を感知する時間、そしてＢＵ時間で構成される。移動を感知するためにモバイルＩＰ関連規格では２５０ｍｓ以上の時間を提供することを要求している。移動を感知する時間（Ｍｏｖｅｍｅｎｔ ｄｅｔｅｃｔｉｏｎ）が短い場合、移動を速く感知するという長所があるが、ルータに負担が大きくなるという短所がある。
【０００９】
アドレス衝突感知は前述したＤＡＤ実行時間を意味する。この時間が短ければハンドオフ時間が短縮できるが、重複されるアドレスを見つけるのにかかる時間が短くなるので、規格では１０００ｍｓ程度の時間を最小限保証することを要求している。アドレス衝突感知を終えた後に変更されたアドレスを知らせるＢＵ過程には約１０ｍｓ程度かかる。
【００１０】
通常音声の場合、ハンドオフ時間が１５０ｍｓを超過すれば、ユーザがサービス中断を感知でき、これより時間に敏感な応用プログラムの場合、約１００ｍｓ以内にハンドオフが処理されなければ、サービスの品質が低下しうる。
【００１１】
Ｌ２ハンドオフ時間は数十ｍｓであるが、Ｌ３ハンドオフ時間は規格で勧告する期間を守る場合には１３００ｍｓ程度かかり、ハンドオフ時間の大部分を占める。したがって、ハンドオフ時間を短縮することがモバイルＩＰの性能を高める重要要件である。このうち、Ｌ３ハンドオフの大部分を占めるアドレス衝突感知時間を短縮する方法及び装置が必要である。
【特許文献１】米国特許第６３３２０２４号明細書
【発明の開示】
【発明が解決しようとする課題】
【００１２】
本発明の技術的課題は、移動端末の情報を利用してモバイルＩＰアドレスを使用する移動端末のハンドオフ時間を短縮するところにある。
【００１３】
本発明の他の技術的課題は、ハンドオフ時間を短縮して移動時通信品質を向上させるところにある。
【００１４】
本発明の目的は、以上で言及した目的に制限されず、言及されていない他の目的は下の記載から当業者に明確に理解されうる。
【課題を解決するための手段】
【００１５】
本発明の一実施形態による移動端末の情報を使用してハンドオフ時間を短縮する方法は、ルータの情報及びアクセスポイントの固有情報を含む識別情報を受信するステップと、前記アクセスポイントが制御するネットワークに結合された移動端末の情報と前記識別情報とを結合して、前記移動端末のモバイルＩＰアドレスを生成するステップと、前記移動端末に前記モバイルＩＰアドレスを送信するステップと、含む。
【００１６】
本発明の一実施形態による移動端末の情報を使用してハンドオフ時間を短縮するアクセスポイントは、ルータの情報及びアクセスポイントの固有情報を含む識別情報を受信するプレフィックス受信部と、前記アクセスポイントが制御するネットワークに結合された移動端末の情報と前記識別情報とを結合して、前記移動端末のモバイルＩＰアドレスを生成するアドレス生成部と、前記移動端末に前記モバイルＩＰアドレスを送信するアドレス伝送部と、を備える。
【発明の効果】
【００１７】
本発明を具現することによって、モバイルＩＰアドレスを使用する移動端末のハンドオフ時間を短縮することができる。
【００１８】
本発明を具現することによって、ハンドオフによる通信断絶なしに通信品質を向上させることができる。
【発明を実施するための最良の形態】
【００１９】
説明に先立って本明細書で使用する用語の意味を簡略に説明する。しかし、用語の説明は本明細書の理解を助けるためのものであり、明示的に本発明を限定する事項として記載していない場合に、本発明の技術的思想を限定する意味として使用するものではないという点に注意せねばならない。
【００２０】
−モバイルＩＰ（Ｍｏｂｉｌｅ ＩＰ）
インターネットプロトコルを使用する移動端末のための技術である。移動端末が外部で遠隔地ネットワークに接続する時、ホームエージェント（ＨＡ）に現在ネットワークで獲得したアドレスを登録すれば、ホームネットワークが遠隔地ネットワークにある端末にデータを送る。部署移動が多いか、または移動勤務者が多い場合に、ＩＰアドレス管理の複雑さを解消するためにＩＥＴＦがＲＦＣ ２００２として提案した。このモバイルＩＰ標準は、モバイルＩＰエージェント（ｍｏｂｉｌｅ ＩＰ ａｇｅｎｔｓ）と移動端末（ｍｏｂｉｌｅ ｎｏｄｅｓ）の二つで構成されるが、モバイルＩＰエージェントは登録された移動端末にパケットをルーティングさせる仮想のルーティングサービスを担当する。モバイルＩＰは、移動端末に２つのＩＰアドレスを許容するが、一つは識別（ｉｄｅｎｔｉｆｉｃａｔｉｏｎ）のために、また一つはルーティング（ｒｏｕｔｉｎｇ）のために使用する。
【００２１】
−移動端末（Ｍｏｂｉｌｅ Ｎｏｄｅ，ＭＮ）
一つのネットワークから他のネットワークに結合点（ｐｏｉｎｔ ｏｆ ａｔｔａｃｈｍｅｎｔ）を変更する機器を意味する。ホームリンクを外れて外部リンクへの移動時に、新たなリンクを通じてＩＰアドレスを割り当てられて通信を維持する。移動端末は携帯電話、ノート型パソコン、ＰＤＡ、ＶｏＩＰ電話機などを含む。
【００２２】
−ホームエージェント（Ｈｏｍｅ Ａｇｅｎｔ）、ホームアドレス（Ｈｏｍｅ ａｄｄｒｅｓｓ）
移動端末が元来のネットワークであるホームネットワークを外れる時にデータを伝達するルータを意味する。ホームアドレスは、移動端末を識別するアドレスとなる。
【００２３】
−外部エージェント（Ｆｏｒｅｉｇｎ Ａｇｅｎｔ）
移動端末が新たに結合した外部端末に対してルーティングサービスを提供するルータを意味する。
【００２４】
−委託アドレス（Ｃａｒｅ ｏｆ Ａｄｄｒｅｓｓ，ＣｏＡ）
移動端末がホームネットワークを外れて外部に移動時に持つＩＰアドレスである。移動端末は委託アドレスをランダムに生成して新たに結合したネットワークに委託アドレスを送信し、そのアドレスを持つ他の機器の存否を検討する。すなわち、ハンドオフ過程で重複されたアドレスの存否を検査する過程を必要とすることが従来の方法である。
【００２５】
−相手端末（Ｃｏｒｒｅｓｐｏｎｄｅｎｔ Ｎｏｄｅ）
移動する移動端末と通信中の端末を意味する。相手端末は、移動端末または固定端末である。
【００２６】
−アクセスポイント（Ａｃｃｅｓｓ Ｐｏｉｎｔ，ＡＰ）
無線ネットワークでネットワークを管理する機器を意味する。一つのルータに複数のアクセスポイントが結合できる。アクセスポイントは、ルータが伝送するネットワークの情報を移動端末に伝送し、移動端末が結合を要請する場合にネットワークの結合に必要な過程を行う。
【００２７】
移動端末が委託アドレスを生成した後、そのアドレスを使用する他のホストの存否を検討するのに長時間がかかるので、このようなＤＡＤ過程を減らす必要がある。ＤＡＤ（Ｄｕｐｌｉｃａｔｅ Ａｄｄｒｅｓｓ Ｄｅｔｅｃｔｉｏｎ、重複アドレス感知）は、アドレスの唯一性を保証するためのものであるので、唯一性が保証されるようにアドレスを生成する場合にＤＡＤ過程を必要としない。
【００２８】
一方、ネットワーク機器に付加されるネットワークカードはＭＡＣアドレスを持つ。元来ＭＡＣアドレスは唯一性を保証できるように生成されることを勧告しているが、実際ネットワークではＭＡＣアドレスが唯一であるとは仮定できない。その理由は、第１に、一部端末またはシステムでＭＡＣアドレスをソフトウェアまたはディップスイッチを通じて任意に変更できるためである。第２に、ＭＡＣアドレスが２４ビット製造企業識別子と２４ビット端末識別子とで構成されるので、実際端末を識別するのに使われうる番号は２４ビットに制限されるためである。
【００２９】
しかし、ＭＡＣアドレスはある範囲内の唯一性を保証し、また製造企業別、製品別にグループ化されて生成されるという点で体系的である。したがって、本発明の一実施形態では、ＭＡＣアドレスのように移動端末が保有する情報のうち、唯一性が一定範囲以上保証される情報を選択し、それを委託アドレスの一部としてＤＡＤ過程を省略し、移動端末が委託アドレスを生成できるようにする。
【００３０】
本明細書では、移動端末のＭＡＣアドレスを使用して唯一性を一定範囲以上保証する例を提示しているが、それに限定されるものではなく、またＭＡＣアドレスの一部のみを使用して委託アドレスを生成することもある。
【００３１】
図３は、本発明の一実施形態によるルータとＡＰ、そして移動端末の構成を示す構成図である。
【００３２】
本実施例で使われる“部”、すなわち、“モジュール”または“テーブル”という用語はソフトウェアまたはＦＰＧＡまたはＡＳＩＣのようなハードウェア構成要素を意味し、モジュールは所定の役割を行う。しかし、モジュールはソフトウェアまたはハードウェアに限定されるものではない。モジュールはアドレッシングできる保存媒体に位置すべく構成されても良く、１つまたはそれ以上のプロセッサーを再生させるように構成されても良い。したがって、一例としてモジュールはソフトウェア構成要素、客体向けソフトウェア構成要素、クラス構成要素及びタスク構成要素のような構成要素と、プロセス、関数、属性、プロシージャー、サブルーチン、プログラムコードのセグメント、ドライバー、ファームウェア、マイクロコード、回路、データ、データベース、データ構造、テーブル、アレイ及び変数を含む。構成要素とモジュール内で提供される機能はより少数の構成要素及びモジュールに結合されるか、追加的な構成要素とモジュールにさらに分離されうる。のみならず、構成要素及びモジュールはディバイスまたは保安マルチメディアカード内の１つまたはそれ以上のＣＰＵを再生させるように具現されることもある。
【００３３】
移動端末１００、ＡＰ ３００、ルータ５００の構成は図３の通りである。
【００３４】
移動端末１００の構成を説明すれば、委託アドレスを要請する自動アドレス委託部１１０とＢＵ要請部１２０とがある。自動アドレス委託部１１０は、移動端末１００が委託アドレスを持つようにＡＰ ３００に要請する。このとき、ＤＡＤ過程が必要ないように移動端末１００のＭＡＣアドレスを伝送する。そしてＡＰ ３００が前記ＭＡＣアドレスに基づいて重複如何を検討して重複されていないということを知らせれば、ＢＵ要請部１２０は、自身の変更された委託アドレスをホームエージェント（ＨＡ）及び相手端末（ＣＮ）に知らせる作業を行う。
【００３５】
ＡＰ ３００は、プレフィックス受信部３１０、アドレス管理部３２０、アドレス生成部３３０、高速ＤＡＤ処理部３４０、そしてアドレス伝送部３５０を備える。
【００３６】
プレフィックス受信部３１０は、ルータ５００から各ＡＰ別に割り当てたプレフィックスを受信して保存する。ルータを構成する各ＡＰ別に固有なプレフィックスを付加する。このプレフィックスは、今後ＡＰ ３００に結合する他の移動端末の委託アドレスを生成するために、ＭＡＣアドレスと結合できる。アドレス管理部３２０は、ＡＰ ３００に結合した移動端末の情報を保存して唯一のアドレスを生成可能にする。アドレス管理部３２０は、ＭＡＣアドレスのように移動端末が持つ情報のうち一定範囲以上の唯一性を保証する情報を保存する。移動端末のＭＡＣアドレスを管理すれば、重複されるＭＡＣアドレスの存否を容易に見つけることができる。アドレス管理部３２０の内部構成は、後述する。
【００３７】
アドレス生成部３３０は、アドレス管理部３２０を通じて重複される情報がない場合、例えば重複されるＭＡＣアドレスがない場合、プレフィックス受信部３１０からアドレスの一部分として使用するプレフィックスを受信し、アドレス管理部３２０からＭＡＣアドレスを受信して委託アドレスを生成する。高速ＤＡＤ処理部３４０は、同じＭＡＣアドレスを持つ機器が存在している場合、移動端末１００が生成して送った新たなアドレスの重複如何を検討する。従来の方法でＤＡＤ機能を行う。アドレス伝送部３５０は、アドレス生成部３３０で生成したアドレスを移動端末１００に伝送する。このとき、アドレス伝送部は、移動端末１００のモバイルＩＰを広告メッセージ（Ａｄｖｅｒｔｉｓｅｍｅｎｔ）に含めて伝送できる。広告メッセージには、ネットワーク管理または結合、データ伝送に必要ないろいろな情報を共に含めて伝送できる。
【００３８】
ルータ５００は、自身が管理するＡＰに割り当てるプレフィックスを管理するプレフィックス管理部５１０を持っている。このプレフィックス情報は、ルータが周期的に送る広告メッセージに含めうる。プレフィックス情報は、ＡＰを識別できる固有な情報でなければならない。プレフィックス情報には、ルータが管理するサブネットプレフィックスを含む。
【００３９】
図４は、本発明の一実施形態によるモバイルＩＰを設定する過程を示す例示図である。図３の構成要素を参照して説明する。
【００４０】
移動端末１００がホームエージェント２００を通じて相手端末４００と通信する間にホームネットワーク５０を離れて外部ネットワーク６０に結合する。外部ネットワーク６０を構成するＡＰ ３００は、ルータ５００が伝送する広告メッセージに含まれたプレフィックス情報をキャッシュしている状況である。プレフィックス情報は、他のＡＰ ３０２と衝突しないようにルータが生成したものである。移動端末１００の自動アドレス委託部１００は、移動端末のＭＡＣアドレスをＡＰ ３００に伝送する。新たに結合する移動端末であるため、移動端末のＭＡＣアドレスをアドレス管理部３２０に保存する。ＡＰ ３００のアドレス管理部３２０は、受信した移動端末のＭＡＣアドレスを参照して同じＭＡＣアドレスの存否を検討する。そして、同じＭＡＣアドレスがない場合、アドレス生成部３３０は、ＡＰのプレフィックス及び移動端末１００のＭＡＣアドレスを含む委託アドレスを生成する。そして、このアドレスをアドレス伝送部３５０から移動端末１００に伝送する。次いで、移動端末１００は、ＢＵ要請部１２０を通じて自身の委託アドレスをホームエージェント２００及び相手端末４００に知らせるＢＵを行う。委託アドレスを知らせることは、ＡＰ ３００及びルータ５００を経てゲートウェイを通過してインターネットを通じて伝えられる。
【００４１】
一方、移動端末１００が前記ネットワークが含まれたドメインを離れる場合には、アクセスポイントで前記移動端末のＭＡＣアドレスを削除できる。移動端末が結合を解約するケースに該当するＭＡＣアドレスを削除すれば、同じＭＡＣアドレスを持つ他の移動端末の結合時にＭＡＣアドレスを利用してモバイルＩＰアドレスを得ることができる。
【００４２】
図４のモバイルＩＰを設定する過程は、図１のＤＡＤ過程を省略することによって全体ハンドオフにかかる時間を短縮できることが分かる。
【００４３】
図２を参照する場合、Ｌ３ハンドオフ時間は、規格で推奨する要件を満足させる場合に１２６０ｍｓ＋αである。しかし、図４の過程から分かるように、ＤＡＤ過程が省略されるので、Ｌ３ハンドオフ時間は２６０ｍｓ＋αとなる。Ｌ３ハンドオフ時間が約８０％近く短縮されたことが分かる。
【００４４】
図５は、本発明の一実施形態によるモバイルＩＰを設定する過程を示すシーケンスダイヤグラムである。
【００４５】
移動端末１００が結合する外部ネットワークを管理するルータ５００は、自身のネットワークを構成するＡＰ ３００に広告メッセージ（Ｒｏｕｔｅｒ Ａｄｖｅｒｔｉｓｅｍｅｎｔ）を持続的に送る（Ｓ１０１）。このとき、広告メッセージには、ＡＰ ３００に固有に割り当てられるＡＰプレフィックスに関する情報が含まれている。ＡＰ ３００は、広告メッセージに含まれたプレフィックス情報をキャッシュして保存している（Ｓ１０２）。一方、移動端末１００は、自身のドメインを離れて外部ドメインに移動する。そして移動端末１００は、ＡＰ ３００に対して結合を要請するが、このとき、ＭＡＣアドレスを共に送る。ＡＰ １００は、結合が成功したことに対する応答を送る（Ｓ１１２）。またＡＰ １００のアドレス管理部３２０で、前記移動端末１００が伝送したＭＡＣアドレスと同じＭＡＣアドレスが保存されたかどうかを比較して、そのＭＡＣアドレスが存在していなければ、Ｓ１０２ステップでキャッシュしたＡＰプレフィックス基盤アドレスとＭＡＣアドレスとを結合して委託アドレスを生成する（Ｓ１２０）。生成したアドレスを移動端末に割り当てる（Ｓ１３０）。モバイルＩＰアドレスの割り当ては、ＡＰが移動端末に伝送する広告メッセージに含めて伝送することによりなされる。
【００４６】
移動端末は、自身の委託アドレスをホームエージェント２００及び相手端末４００に知らせるＢＵ作業を行う（Ｓ１４１、Ｓ１４２）。
【００４７】
図６は、本発明の一実施形態によるＡＰが移動端末のＭＡＣアドレスを使用してモバイルＩＰアドレスを生成する過程を示すフローチャートである。
【００４８】
ＡＰは、ルータからプレフィックス情報を受信する（Ｓ２０１）。プレフィックス情報の一実施形態としては、図３のように、ルータのサブネットプレフィックス及びＡＰ固有情報を含む。ルータが伝送する広告メッセージ（Ｒｏｕｔｅｒ Ａｄｖｅｒｔｉｓｅｍｅｎｔ）にプレフィックス情報が含まれうる。そして、ＡＰの無線範囲内に進入して結合を要請する移動端末のＭＡＣアドレスを受信して保存する（Ｓ２０２）。ＭＡＣアドレス以外にも、移動端末が提供できる一定範囲内の唯一性が満たされる情報が存在するとき、その情報を使用できる。受信したＭＡＣアドレスと同じＭＡＣアドレスを持つ移動端末の存否を検討する（Ｓ２１０）。検討結果、同じＭＡＣアドレスを持つ移動端末が存在していなければ、Ｓ２０１ステップのプレフィックス情報とＭＡＣアドレスとを結合してモバイルＩＰアドレスを生成する（Ｓ２１１）。そして、このアドレスを移動端末に伝送する（Ｓ２１２）。それは、ＡＰが伝送する広告メッセージ（Ｒｏｕｔｅｒ Ａｄｖｅｒｔｉｓｅｍｅｎｔ）に含まれうる。
【００４９】
一方、同じＭＡＣアドレスを持つ移動端末が存在するならば、既存のＤＡＤ過程を行う。したがって、移動端末がランダムに生成したモバイルＩＰアドレスを受信する（Ｓ２１５）。受信したモバイルＩＰアドレスをルータを通じて他のネットワークに伝送して、同じアドレスを持つ他の機器の存否を検討する（Ｓ２１６）。
【００５０】
図７は、本発明の一実施形態によるルータとＡＰのプレフィックスと移動端末のＭＡＣアドレスとが結合する過程を示す例示図である。
【００５１】
モバイルＩＰは、ＩＰｖ６に基づいて総１２８ビットで構成される。ユニキャストでは、１２８ビットのうち上位６４ビットをサブネットプレフィックスとして使用し、下位６４ビットをインターフェース識別子として使用する。したがって、ルータ５０１、５０２は、ルータとＡＰの識別子とを結合したサブネットプレフィックスを各ＡＰに伝送できる。これは、ＩＰｖ６のアドレス設定方式によって変わり、１２８ビットのうち一部ビットを、ルータのアドレスとＡＰのアドレスとを結合して送ることを意味する。例えば、６４ビットをサブネットプレフィックスとして使用する場合、下位６４ビットのうち下位１６ビットはＡＰを識別できる情報として設定し、残りの４８ビットを移動端末のＭＡＣアドレスとして設定する。
【００５２】
ルータ５０１、５０２は、自身のネットワークを構成するＡＰに広告メッセージを伝達するが、この広告メッセージにはＡＰ別に区別されるプレフィックスを含む。また、ルータのプレフィックスも含みうる。広告メッセージに保存されたＡＰ別プレフィックスは、ＡＰのプレフィックス受信部に保存される。一方、移動端末１００が結合を要請しつつＭＡＣアドレスを伝送すれば、ＡＰ ３０１は該当ＭＡＣアドレスの重複如何を検討して、重複されていなければ、ルータプレフィックスとＡＰプレフィックスとが結合されたアドレスにＭＡＣアドレスを結合したモバイルＩＰアドレスを移動端末１００に伝送する。
【００５３】
図８は、本発明の一実施形態によるアドレス管理部がＭＡＣアドレスを管理する方式を示す例示図である。
【００５４】
ＭＡＣアドレスは、４８ビットで構成されているが、製造企業を識別する会社ＩＤ、製品を区別する製品ＩＤ、そして各端末に割り当てられる端末ＩＤに大別される。製品ＩＤは、この製品がＦＡＸであるか、コンピュータであるか、またはＰＤＡであるかを区別する。したがって、図８のアドレス管理部の一実施形態では、ＭＡＣアドレスを比較する時間を短縮するために会社別に移動端末のＭＡＣアドレスを保存する。例えば、Ｓ社の端末のＭＡＣアドレスは、Ｓ社テーブルに製品ＩＤと端末ＩＤのみ保存する。会社ＩＤはいずれもＳ社を識別するので保存する必要がない。Ｌ社、Ｈ社も該当会社別に保存する。このように保存したテーブルを管理しつつ新たな移動端末がＭＡＣアドレスを伝送する場合、どの会社製品であるかによって会社別テーブルを検索する。一方、製品ＩＤは重複される可能性が高いので、検索時に端末ＩＤを通じてまず検索して、重複されていなければ該当ＭＡＣアドレスを使用する。もし、端末ＩＤを通じて検索する場合、重複されたＭＡＣアドレスが見つけられれば製品ＩＤまで比較して重複如何を検討できる。検索速度を高めるために端末ＩＤの下位いくつかのビットのみ検索できる。下位ビットは端末自体に対して賦課されるＩＤを構成するので、重複される可能性が低い。例えば、下位３ビットをまず検索して下位３ビットが異なれば全体ＭＡＣアドレスが同一であるので、それ以上他のビットを調べる必要がない。下位３ビットが同一であれば、端末ＩＤ全体を比較するか、または製品ＩＤと端末ＩＤとをいずれも比較できる。
【００５５】
本発明が属する技術分野で当業者ならば本発明がその技術的思想や必須特徴を変更せずとも他の具体的な形に実施されうるということが理解できるであろう。
【００５６】
したがって、前述した実施例は全ての面で例示的なものであって、限定的なものではないと理解せねばならない。本発明の範囲は詳細な説明よりは特許請求の範囲により表れ特許請求の範囲の意味及び範囲、そしてその等価概念から導かれるあらゆる変更または変形された形態が本発明の範囲に含まれると解釈されねばならない。
【産業上の利用可能性】
【００５７】
本発明は、移動端末の情報を使用してハンドオフ時間を短縮する装置の関連技術分野に好適に用いられる。
【図面の簡単な説明】
【００５８】
【図１】従来にモバイルＩＰを割り当てる過程を示す例示図である。
【図２】従来のモバイルＩＰでハンドオフ遅延時間が占める時間を分析したチャートである。
【図３】本発明の一実施形態によるルータとＡＰ、そして移動端末の構成を示す構成図である。
【図４】本発明の一実施形態によるモバイルＩＰを設定する過程を示す例示図である。
【図５】本発明の一実施形態によるモバイルＩＰを設定する過程を示すシーケンスダイヤグラムである。
【図６】本発明の一実施形態によるＡＰが、移動端末のＭＡＣアドレスを使用してモバイルＩＰアドレスを生成する過程を示すフローチャートである。
【図７】本発明の一実施形態によるルータとＡＰのプレフィックスと移動端末のＭＡＣアドレスとが結合する過程を示す例示図である。
【図８】本発明の一実施形態によるアドレス管理部がＭＡＣアドレスを管理する方式を示す例示図である。
【符号の説明】
【００５９】
１００  移動端末
３００  アクセスポイント
３１０  プレフィックス受信部
３２０  アドレス管理部
５００  ルータ
【図２】
2006203888.tif 000003
【図３】
2006203888.tif 000004
【図５】
2006203888.tif 000005
【図６】
2006203888.tif 000006
【図７】
2006203888.tif 000007
【図１】
2006203888.tif 000008
【図４】
2006203888.tif 000009
【図８】
2006203888.tif 000010